(57)【要約】【課題】  遊技メダルと遊技球とを分別可能な遊技媒体受け皿を提供する。【解決手段】  所定の入賞条件に応じて遊技メダル及び遊技球の少なくとも一方が払い出されるスロットマシンＳＭに設けられ、払出口６から払い出された遊技メダル及び遊技球を保持する皿７であって、上底と下底とを有する二重底構造であり、上底の少なくとも一箇所は、遊技メダルの直径よりも小さく遊技球の直径よりも大きい開口を少なくとも一つ備えた遊技球分離部ｅによって、下底と隔てられており、下底側の空間には、遊技球をスロットマシンＳＭの内部に導入するための遊技球導入口７ａが設けられている【選択図】  図１７
2005270232.tif 000002
【特許請求の範囲】
【請求項１】
所定の入賞条件に応じて遊技メタル及び遊技球の少なくとも一方が払い出される遊技機に設けられ、払出口から払い出された前記遊技メタル及び前記遊技球を保持する遊技媒体受け皿であって、
上底と下底とを有する二重底構造であり、前記上底の少なくとも一箇所は、前記遊技メダルの直径よりも小さく前記遊技球の直径よりも大きい開口を少なくとも一つ備えた板状部材によって、前記下底と隔てられており、
下底側の空間には、前記遊技球を前記遊技機内部に導入するための穴が設けられていることを特徴とする遊技媒体受け皿。
【請求項２】
前記板状部材が設置されている箇所が窪んでいることを特徴とする請求項１記載の遊技媒体受け皿。
【請求項３】
前記板状部材には、格子状に前記開口が形成されていることを特徴とする請求項１又は２記載の遊技媒体受け皿。
【請求項４】
前記板状部材の開口が、円形であることを特徴とする請求項１又は２記載の遊技媒体受け皿。
【発明の詳細な説明】
【技術分野】
【０００１】
本発明は、遊技機における用いる遊技媒体受け皿に関し、特に、遊技メダル及び遊技球の両方を用いて遊技可能な遊技機に用いる遊技媒体受け皿に関する。
【背景技術】
【０００２】
遊技場に設置される遊技機は、大別すると、遊技メダルを用いるタイプと、遊技球を用いるタイプとの二種類があり、遊技メダルを用いる遊技機の例としてはスロットマシンをあげることができ、遊技球を用いる遊技機の例としてはパチンコ機をあげることができる。
【０００３】
従来、これらの遊技機は、遊技メダル又は遊技球のいずれか一方のみしか用いることができない。よって、例えば、パチンコ機で遊技していた遊技者がパチンコ機での遊技を止めてスロットマシンで遊技しようとする場合には、新たに遊技メダルを借りなければならない。
【０００４】
このように、従来は、遊技者が保持する遊技メダルや遊技球を他のタイプの遊技機で使用できなかったため、実際には、ほとんどの遊技者は最初に遊技したタイプの遊技機のみで遊技し、両方のタイプの遊技機で遊技することはなかった。すなわち、従来は、遊技場において遊技者の機種の選択肢は少なかった。
【０００５】
このような問題の解決を目的とする従来技術として、特許文献１に開示される「遊技球を用いたスロットマシン」がある。特許文献１は、遊技メダルの代わりに遊技球を用いて遊技するスロットマシンが開示されている。
特許文献１に開示される発明によれば、遊技球を用いてスロットマシンによる遊技を行うことができるため、遊技場における遊技者の機種の選択肢を広げることができる。
【特許文献１】特開２００３−１２６３４９号公報
【発明の開示】
【発明が解決しようとする課題】
【０００６】
しかし、上記特許文献１に開示される発明は、回転表示部は従来のスロットマシンと同様の構成であるが、入賞球の払い出し口やこれを受ける皿は、従来のパチンコ機と同様の構成となっている。
すなわち、特許文献１に開示されるスロットマシンの構造は、従来のスロットマシンともパチンコ機とも大きく異なっているため、これを従来のスロットマシンやパチンコ機と同じ製造工程で組み立てることは難しい。
【０００７】
また、上記特許文献１に開示される発明は、遊技メダルの代わりに遊技球を用いるように構成しているため、従来とは逆に遊技メダルを用いて遊技することはできない。すなわち、遊技メダルを所持する遊技者にしてみれば、何ら機種の選択肢は広がらない。
【０００８】
遊技メダル及び遊技球のいずれを用いても遊技可能な構成とした場合には、遊戯中に遊技機から遊技メダル及び遊技球の双方が払い出されることとなる。このため、遊技メダル及び遊技球のいずれを用いても遊技可能なスロットマシンを、従来のものと同様の構造（換言すると、皿が一枚の構造）で実現するためには、皿において遊技メダルと遊技球とを分別できるようにする必要がある。
【０００９】
本発明はかかる問題に鑑みてなされたものであり、遊技メダルと遊技球とを分別可能な遊技媒体受け皿を提供することを目的とする。
【課題を解決するための手段】
【００１０】
本発明は、上記目的を達成するために、所定の入賞条件に応じて遊技メダル及び遊技球の少なくとも一方が払い出される遊技機に設けられ、払出口から払い出された遊技メダル及び遊技球を保持する遊技媒体受け皿であって、上底と下底とを有する二重底構造であり、上底の少なくとも一箇所は、遊技メダルの直径よりも小さく遊技球の直径よりも大きい開口を少なくとも一つ備えた板状部材によって、下底と隔てられており、下底側の空間には、遊技球を遊技機内部に導入するための穴が設けられていることを特徴とする遊技媒体受け皿を提供するものである。
【００１１】
上記の構成においては、板状部材が設置されている箇所が窪んでいることが好ましい。
【００１２】
上記のいずれの構成においても、板状部材には、格子状に開口が形成されていることが好ましい。又は、板状部材の開口が、円形であることが好ましい。
【発明の効果】
【００１３】
本発明によれば、遊技メダルと遊技球とを分別可能な遊技媒体受け皿を提供できる。
【発明を実施するための最良の形態】
【００１４】
以下、本発明の好適な実施の形態について添付図面を参照しながら説明する。まず、本発明が適用されるスロットマシンＳＭについて説明する。図１に、スロットマシンＳＭの外観斜視図を示す。また図２に、スロットマシンＳＭの前面扉を開錠して開いた状態での内部構造を示す。
【００１５】
スロットマシンＳＭは、キャビネットボックス２と前面扉（フロントマスク）３とからなる筐体１を有する。キャビネットボックス２は、前面に開口を有する箱形状である。前面扉３は、キャビネットボックス２の前面の開口を覆うように取り付けられる。筐体１の各部には、種々の遊技展開装置が配設される。
前面扉３は、キャビネットボックス２及び前面扉３の双方の側縁部に２箇所設けられた不図示のヒンジ機構によって、横開き可能に取り付けられている。ヒンジ機構が設けられた側と反対側の側縁部には、施錠装置４が設けられており、前面扉３は、常態ではキャビネットボックス２に対して固定された状態に保持される。
【００１６】
前面扉３には、メダル投入口５、スタートレバー１１、停止ボタン１２、１３及び１４、上部スピーカＳＬ及びＳＲ、下部スピーカＳＷなどが設けられている。停止ボタン１２、１３及び１４は、回胴リール装置２００の各リールＲ１、Ｒ２及びＲ３にそれぞれ対応して設けられている。
前面扉３の前面中央の中部パネルには、回胴リール装置２００と位置が整合するように透視窓１０が設けられており、各回胴リールＲ１、Ｒ２及びＲ３の円筒外周面に沿って描かれた多数の絵柄のうち所定範囲（例えば、三つ分の絵柄の範囲）がスロットマシンＳＭの正面から透視可能となっている。
前面扉３の中央下部には、払出口６が設けられているとともに、その下側には前方に突出して受け皿７が設けられている。ホッパ装置ＨＰから払い出された遊技メダルは、払出口６を通り、受け皿７によって受け止められて貯留される。
【００１７】
図２に示すように、前面扉３の裏側上部には、スピーカＳＲとＳＬとの間に演出表示装置８が設けられている。さらに、演出表示装置８の裏面側には、電気回路基板で形成されたサブ制御基板３００が取り付けられている。
サブ制御基板３００は、導電性配線パターンが形成された絶縁性樹脂基板上に集積回路装置（ＩＣ）やトランジスタ、抵抗、コンデンサ等の電子部品が搭載されて接続されることによって、いわゆる電気回路基板として形成されており、演出表示装置８の裏面側と重なるように取り付けられている。
【００１８】
ここで、サブ制御基板３００は、スロットマシンＳＭが備えるランプやスピーカなどを用いて、効果音や音楽などによる演出を行う基板である。サブ制御基板３００には、演出用スピーカＳＬ、ＳＲ及びＳＷと不図示の演出用ランプと演出表示装置８とがそれぞれ不図示の配線ケーブルを介して配線接続されている。サブ制御基板３００に設けられている電気回路は、主制御基板７００からの指示に従ってこれらの演出用スピーカＳＬ、ＳＲ及びＳＷと不図示の演出用ランプと演出表示装置８とを駆動することによって、遊技者の視覚や聴覚に訴える演出を行うようになっている。
【００１９】
演出表示装置８とサブ制御基板３００との下方には、透視窓１０が形成された略長方形状の枠体２０が取り付けられている。枠体２０の下方には、セレクト機構Ｇ０、ガイド部材Ｇ１、Ｇ２及びＧ３が設けられている。セレクト機構Ｇ０は、下部パネル９の裏側にあたり、メダル投入部５から投入された投入物を正規の遊技メダルであるか否かを判断して振り分ける。ガイド部材Ｇ１は、セレクト機構Ｇ０で振り分けられた遊技メダルをキャビネットボックス２側に設けられているホッパ装置ＨＰへ案内する。ガイド部材Ｇ２は、セレクト機構Ｇ０で振り分けられた異物をメダル払出口６へ案内する。ガイド部材Ｇ３は、ホッパ装置ＨＰから出力される払い出し用の遊技メダルをメダル払出口６へ案内する。さらに、メダル払出口６の近傍には、スピーカＳＷが取り付けられている。
【００２０】
図２に示すように、キャビネットボックス２の内部は、左右の側板をつないで固定された棚板１５よって大きく上下２段に分けられている。
キャビネットボックス２の上段には、主制御基板７００と回胴リール装置２００とが収容されている。主制御基板７００は、スロットマシンＳＭの動作を統括的に制御する回路基板であり、透明樹脂製の基板ケースに収められた上で背板１６の上部にネジ固定されている。回胴リール装置２００は、円筒外周面に沿って多数の絵柄が描かれた三つの回胴リールＲ１、Ｒ２及びＲ３を回転・停止駆動する装置であり、棚板１５の上面に支持されて取り付けられている。
キャビネットボックス２の下段には、ホッパ装置ＨＰ、電源装置基板５００、補助貯留部ＳＨＰなどが取り付けられている。ホッパ装置ＨＰは、主制御基板７００からの指令により入賞状態に応じて遊技メダルの払い出しを行う。電源装置基板５００は、主制御基板７００や回胴リール装置２００などの各種遊技展開装置に電力を供給する。補助貯留部ＳＨＰは、ホッパ装置ＨＰの不図示のメダル貯留部が満杯の状態でさらに遊技メダルが投入された時にメダル貯留部からあふれ出た遊技メダルを貯留する。
電源装置基板５００は、外部から入力される１００Ｖ又は２４Ｖの電圧を所定の電圧に変換して各基板へ供給する。
【００２１】
上記のように、キャビネットボックス２の裏側上部には、スロットマシンＳＭの動作を統括する主制御基板７００が硬質プラスチック製の収納ケースに収納された上で配置されている。
主制御基板７００を中心として、サブ制御基板３００、中央表示基板、電源装置基板５００、回胴装置基板、外部集中端子基板がそれぞれ不図示のケーブルを介して配線接続されている。
【００２２】
主制御基板７００には、ともに不図示の半導体メモリ及びマイクロプロセッサが搭載されており、マイクロプロセッサが半導体メモリに予め記憶されているシステムプログラムとスロットマシンゲーム用のプログラムを実行し、上記の各基板を制御することによって、スロットマシンＳＭの動作状況とゲームの進行とを統括管理する。具体的には、スロットマシンＳＭのメイン抽選、各リールの制御、入力スイッチなどの管理を行っている。
【００２３】
以上説明したように、キャビネットボックス２に取り付けられた遊技展開装置（回胴リール装置２００、電源装置基板５００、主制御基板７００、ホッパ装置ＨＰなど）及び前面扉３に取り付けられた遊技展開装置（メダル投入部５、スタートレバー１１、停止スイッチ１２〜１４、スピーカＳＬ、ＳＲ及びＳＷなど）が、不図示のワイヤハーネスによって相互に接続されることにより、スロットマシンＳＭは遊技可能な状態に構成される。
【００２４】
キャビネットボックス２には、遊技球（予備賞球）の貯留・供給処理を行う球貯留供給機構４０、賞球の払い出し処理を行う賞球払出機構５０が取り付けられている。
賞球払出機構５０の下方には、払い出された遊技球（賞球）を皿に排出するための賞球払出経路６０、ベット済みの遊技球を遊技場側の回収バケットに排出させる遊技済み球排出経路７０が設置されている。
【００２５】
球貯留供給機構４０は、タンク部材４１及び不図示の整列桶部材を有する。タンク部材４１は、予備賞球用のタンクである。整列桶部材は、タンク部材４１内に貯留された予備賞球を整列して供給させる。すなわち、整列桶部材は、タンク部材４１から供給された予備賞球を二列の予備賞球路に整列させて収容し、傾斜下方の偏向出口に送り出す。
偏向出口部には、整列された予備賞球の流れを停止可能な不図示の球止め部材が取り付けられており、球止め部材を閉止位置にすることによって偏向出口から賞球払出装置５０への予備賞球の流れが停止する。なお、球止め部材は常態では予備賞球の流路外に待避しており、整列された予備賞球が偏向出口から賞球払出機構５０へ送られる。
【００２６】
賞球払出機構５０は、賞球待機通路５１及び賞球カセット５２を有する。賞球待機通路５１は、偏向出口から送られてきた予備賞球を受けて所定数量の遊技球を待機保持させる。賞球カセット５２は、賞球待機通路５１の下端部に配設されており、待機保持されている予備賞球を払い出す。賞球カセット５２は、その内部にインペラとこれを回転させるモータとを有する。回胴リールＲ１、Ｒ２及びＲ３の役状態に応じて賞球制御基板９２から出力される払出指令信号に応じてインペラを回転させ、払出指令信号に応じた数量の遊技球を賞球として賞球払出経路６０に払い出す。賞球カセット５２の下部には、賞球カセット５２から送り出された賞球を計数して賞球制御基板９２にフィードバックする賞球検出センサ５３が設けられている。
【００２７】
賞球払出経路６０は、賞球カセット５２から払い出された賞球を、払出口６を経て受け皿７に導く。
遊技済み球排出経路７０は、ベット（賭数の設定）に用いた遊技球をキャビネットボックス２の下部に導く遊技球排出経路７５と遊技済み球を遊技場側に設置されている不図示の回収バケットへ導くダクト７６が設けられている。
【００２８】
受け皿７には、遊技球導入口７ａが設けられている。受け皿７上に載置された遊技球は、遊技球導入口７ａに導かれ、ここからスロットマシンＳＭの内部に導入される。遊技球導入口７ａからスロットマシンＳＭの内部に導入された遊技球は、遊技球排出経路７５によって、キャビネットボックス２の下部に導かれる。
なお、受け皿７の形状については、後段でより詳細に説明する。
【００２９】
このように構成されたスロットマシンＳＭでは、遊技者がメダル投入口５に遊技メダルを投入するか、又は、遊技球導入口７ａに遊技球が導入された状態で、ベットボタンＢ１、Ｂ２及びＢ３のいずれかを押下し、スタートレバー１１を操作すると、主制御基板７００は、スタートレバー１１からの信号に基づいて起動指令信号を回胴リール装置２００へ出力し、三つの回胴リールＲ１、Ｒ２及びＲ３を同時に回転起動させる。
遊技者は回転しているリールを任意に選択し、対応する停止ボタン１２、１３及び１４を所望の順序及びタイミングで操作することによって、主制御基板７００はこれらの停止ボタンからの操作信号に応じて停止指令信号回胴リール装置２００に出力し、押下された停止ボタンに対応する回胴リールの回転を制動停止させることにより遊技が進行する。
【００３０】
なお、一回の遊技においては、遊技メダル及び遊技球のいずれか一方のみを用いてベットしても良いし、両方を用いてベットしても良い。一回の遊技に遊技メダル及び遊技球のいずれか一方のみを用いるのであれば、前面扉３に不図示の遊技媒体選択ボタンを設け、遊技者が遊技媒体としていずれを用いるのかを選択できるようにすれば良い。また、一回の遊技に遊技メダル及び遊技球の両方を用いるのであれば、全面扉３にいずれも不図示の遊技メダル用ベットボタンと遊技球用ベットボタンとを別個に設け、いずれのラインにいずれの遊技媒体を用いてベットしたのかを区別できるようにするとよい。
【００３１】
本実施形態にかかるスロットマシンＳＭの遊技時の動作について説明する。図３に、本実施形態にかかるスロットマシンＳＭにおいて遊技球を用いて遊技する場合の制御系の構成を示す。スロットマシンＳＭは、遊技の制御系として主制御基板７１０、払出制御部７１０、賞球カセット５２及び球貸し指令部７２０からなる制御系を備えている。遊技メダルを用いた遊技に関しては従来のスロットマシンと同様の制御系である。なお、図４に示すように、払出制御部７１０は、主制御基板７００に組み込まれた構成であっても良い。
【００３２】
〔遊技メダルと遊技球との区別〕
遊技の結果入賞した（回胴リール装置２００において回胴リールＲ１、Ｒ２及びＲ３の絵柄が所定のパターンに揃った）際には、主制御基板７００は、その遊技に用いられた遊技媒体が遊技メダルであるか遊技球であるかを確認する。
遊技に用いた遊技媒体が遊技メダルであった場合、主制御基板７００は、ホッパ装置ＨＰに対して出力制御信号を送出する。この場合には、従来技術によるスロットマシンと同様に、役柄（絵柄のパターン）に応じた規定枚数の遊技メダルがホッパ装置ＨＰから受け皿７へと払い出される。
一方、遊技に用いた遊技媒体が遊技球であった場合、主制御基板７００は、下記のようにして賞球タンク４１に貯留されている予備賞球を受け皿７へと排出する。
【００３３】
〔遊技球払い出し〕
遊技の結果入賞した場合、主制御基板７００は、払出制御部７１０に対して、入賞球払出信号を出力する。払出制御部７１０は、タンク部材４１や賞球待機通路５１に球があるか否かを確認する。払出制御部７１０は、入賞の種類に応じた規定数の遊技球を払い出すために、賞球カセット５２を駆動する。賞球カセット５２は、賞球払出経路６０を介して、受け皿７に賞球を払い出す。払出制御部７１０は、賞球カセット５２によって規定数の賞球が払い出されたことを確認したのち、主制御基板７００に完了信号を送出する。
【００３４】
〔球貸し払い出し〕
球貸し命令手段（ＣＲユニットや現金サンド）は、競技者の入力操作に応じて、払出制御部７１０へ球貸し出しを要求する。
払出制御部７１０は、タンク部材４１や賞球待機通路５１に球があるか否かを確認する。払出制御部は、入賞の種類に応じた規定数の遊技球を払い出すために、賞球カセット５２を駆動する。賞球カセット５２は、賞球払出経路６０を介して、受け皿７に賞球を払い出す。払出制御部７１０は、賞球カセット５２によって規定数の賞球が払い出された（換言すると、貸し出された）ことを確認したのち、主制御基板７００に完了信号を送出する。
【００３５】
〔遊技球によるベット（クレジット機能無効時）〕
遊技球導入口７ａからスロットマシンＳＭの内部に取り込まれた遊技球を不図示のセンサでカウントする。カウント値が予め定められた賭数上限値（例えば１５個）に達すると、不図示の球ブロック手段（ブロッカー、球送り装置など）によって遊技球通路６への遊技球の供給を停止する。
遊技終了後、遊技球通路６内の遊技球は、遊技球排出経路７５及び排出ダクト７６を介してスロットマシンＳＭの外部（遊技場の遊技島に設置されている回収バケット）に排出される。
【００３６】
〔遊技球によるベット（クレジット機能有効時）〕
球技球導入口７ａからスロットマシンＳＭの内部に取り込まれた遊技球を不図示のセンサでカウントする。カウント値が予め定められた賭数上限値（例えば２５０個）に達すると、遊技媒体数記憶手段（クレジット手段、主制御基板７００によってカウント数を記憶する。そして、不図示の球ブロック手段（ブロッカー、球送り装置など）によって遊技済み球排出経路７０への遊技球の供給を停止する。
遊技終了後、遊技球通路７０内の遊技球は、遊技球出経路７５及び排出ダクト７６を介してスロットマシンＳＭの外部（遊技場の遊技島に設置されている回収バケット）に排出される。
【００３７】
このように、本実施形態にかかるスロットマシンＳＭは、遊技メダル及び遊技球のいずれを用いても遊技可能である。すなわち、遊戯中に受け皿７には遊技メダル及び遊技球の両方が払い出される。よって、本実施形態にかかるスロットマシンＳＭでは、遊戯中に払い出された遊技メダル及び遊技球を分別するための構造を受け皿７に設けている。
【００３８】
〔構造例１〕
図５に、受け皿７の第１の構造例を示す。図示するように、受け皿７の幅方向中心付近には、ガイド溝７ｂが設けられている。図６に示すように、受け皿７の底面は幅方向の中央が最も低くなるように傾斜が設けられている。このため、図７に示すように、受け皿７上に払い出された賞球は、受け皿７の底面を転がってガイド溝７ｂに集められる。図６に示したように、ガイド溝７ｂは、受け皿７の奥行き方向奥側が低くなるように形成されているため、ガイド溝７ｂに集められた遊技球は、遊技球導入口７ａへ導かれ、ここからスロットマシンＳＭの内部に導入される。
【００３９】
なお、この構造においては、払い出された遊技メダルがガイド溝を詰まらせてしまうことをさけるために、図８に示すように払出口の底面に傾斜を設け、遊技メダルがスロットマシンＳＭの正面方向ではなく斜め方向に排出されるようにすると良い。
【００４０】
〔構造例２〕
図９に、受け皿７の第２の構造例を示す。図示するように、受け皿７の底面を幅方向に分断するガイド溝７ｂが複数設けられている。それぞれのガイド溝７ｂは、受け皿７の奥に設けられたガイド溝７ｃによって繋がっている。
【００４１】
図１０に示すように、受け皿７の底面は、各ガイド溝７ｂの形成されている部分が低くなるように凹凸が形成されている。このため、図１１に示すように、受け皿７上に払い出された賞球は、受け皿７の底面を転がってガイド溝７ｂのいずれかに集められる。ガイド溝７ｂは、受け皿７の奥行き方向奥側が低くなるように形成されているため、ガイド溝７ｂに集められた遊技球は、ガイド溝７ｃに移動する。ガイド溝７ｃは、受け皿７の幅方向の中央が最も低くなるように形成されているため、ガイド溝７ｃ上にある遊技球は遊技球導入口７ａへ導かれ、ここからスロットマシンＳＭの内部に導入される。
【００４２】
〔構造例３〕
図１２に、受け皿７の第３の構造例を示す。図示するように、受け皿７の底面周縁にはガイド溝７ｄが設けられている。図１３に示すように、受け皿７の底面は中央部が最も高く、周縁部に近づくほど低く形成されている。また、ガイド溝７ｄは、遊技球導入口７ａの部分が最も低く形成されている。
【００４３】
受け皿７に払い出された遊技メダルは、受け皿７の中央部付近に堆積する。一方、受け皿７に払い出された賞球は、受け皿７の底面を転がってガイド溝７ｄに落ちる。ガイド溝７ｄに落ちた遊技球は、ガイド溝７ｄによって遊技球導入口７ａへ導かれ、ここからスロットマシンＳＭの内部に導入される。
この構造においては、払い出された遊技メダルは、受け皿７の中央部付近に留まるため、ガイド溝７ｄを詰まらせてしまうことがない。
【００４４】
〔構造例４〕
図１４に、受け皿７の第４の構造例を示す。図示するように、受け皿７の底面中央部には遊技球分離部７ｅが設けられている。遊技球分離部７ｅは、遊技メダルは通過できないが遊技球は通過できる大きさの開口が複数形成されている。開口の形状は任意であり、図１４に示したように格子状であっても良いし、図１５に示すように円形のであっても良い。なお、開口の形状が円形の場合には、パンチングメタルを使用することも可能である。図１６に示すように、遊技球分離部７ｅの下には、開口を通り抜けた遊技球が落下する空間７ｆがあり、この空間は遊技球導入口７ａに繋がっている。すなわち、本構造例においては、受け皿７は二重底の構造となっている。
【００４５】
図１７に、図１６における受け皿７のＡ−Ａ断面を示す。受け皿７に払い出された遊技メダルは、遊技球分離部７ｅの開口を通過できないため、受け皿７上に載置される。一方、受け皿７に払い出された賞球は、遊技球分離部７ｅの開口を通過して空間７ｆに落下し、遊技球導入口７ａへと導かれる。これにより、遊技中に払い出された遊技メダル及び遊技球は、遊技者の手を経ること無く分別される。
【００４６】
ここでは受け皿７の底面の一部分にのみに遊技球分離部７ｅを設けた構成を示したが、底面の全面に遊技球分離部７ｅを設けた構成であっても良いし、遊技球分離部７ｅを二箇所以上に設けても良い。
【００４７】
このように、本実施形態にかかるスロットマシンＳＭは、従来のスロットマシンとほぼ同様の構造であることに加え、遊技メダル及び遊技球のいずれも遊技媒体として用いることができる。
さらに、遊技者は、自身で遊技メダルと遊技球とを選別する必要が無いため、遊技メダル及び遊技球の両方を用いても、遊技の進行に支障を及ぼすことがない。
【００４８】
なお、上記実施形態は本発明の好適な実施の一例であって、本発明はこれに限定されることはない。
例えば、上記の受け皿の構造例は、あくまでも実施の一例であり、受け皿の構造は図示した構造に限定されることはない。
このように、本発明は様々な変形が可能である。
【図面の簡単な説明】
【００４９】
【図１】本発明を好適に実施したスロットマシンの外観斜視図である。
【図２】本発明を好適に実施のしたスロットマシンの内部構成を示す図である。
【図３】本発明を好適に実施したスロットマシンにおいて遊技球を用いて遊技する場合の制御系の構成を示す図である。
【図４】本発明を好適に実施したスロットマシンにおいて遊技球を用いて遊技する場合の制御系の別の構成を示す図である。
【図５】受け皿の第１の構成例を示す図である。
【図６】第１の構成例にかかる受け皿において、遊技球がガイド溝に集まる原理を示す図である。
【図７】第１の構成例にかかる受け皿において、遊技球がガイド溝に集まる様子を示す図である。
【図８】第１の構成例にかかる受け皿の変形例を示す図である。
【図９】受け皿の第２の構成例を示す図である。
【図１０】第２の構成例にかかる受け皿において、遊技球がガイド溝に集まる原理を示す図である。
【図１１】第２の構成例にかかる受け皿において、遊技球がガイド溝に集まる様子を示す図である。
【図１２】受け皿の第３の構成例を示す図である。
【図１３】第３の構成例にかかる受け皿において、遊技球がガイド溝に集まる原理を示す図である。
【図１４】受け皿の第４の構成例を示す図である。
【図１５】遊技球分離部の開口形状を円形とした場合の構成例を示す図である。
【図１６】第４の構成例にかかる受け皿の底面の構造を示す図である。
【図１７】第４の構成例にかかる受け皿において、遊技メダルと遊技球とが選別される状態を示す図である。
【符号の説明】
【００５０】
１    筐体
２    キャビネットボックス
３    前面扉
５    コイン投入口
６    払出口
７    皿
７ａ    遊技球導入口
７ｂ、７ｃ、７ｄ    ガイド溝
７ｅ    遊技球分離部
７ｆ    空間
８    演出表示装置
１０    投光窓
１１    スタートレバー
１２、１３、１４    ストップボタン
１５    棚板
１６    背板
２０    枠体
４０    球貯留供給機構
４１    タンク部材
５０    賞球払出機構
５１    賞球待機通路
５２    賞球カセット
６０    賞球払出経路
７０    遊技済み球排出経路
７５    遊技球排出経路
７６    ダクト
２００    回胴リール装置
３００    サブ制御基板
５００    電源装置基板
７００    主制御基板
７１０    払出制御部
７２０    球貸し司令部
Ｂ１、Ｂ２、Ｂ３    ベットボタン
Ｇ０、Ｇ１、Ｇ２    ガイド部材
ＨＰ    ホッパ装置
Ｒ１、Ｒ２、Ｒ３    回胴リール
ＳＨＰ    補助貯留部
ＳＬ、ＳＲ、ＳＷ    スピーカ
【図１】
2005270232.tif 000003
【図２】
2005270232.tif 000004
【図３】
2005270232.tif 000005
【図４】
2005270232.tif 000006
【図５】
2005270232.tif 000007
【図６】
2005270232.tif 000008
【図７】
2005270232.tif 000009
【図８】
2005270232.tif 000010
【図９】
2005270232.tif 000011
【図１０】
2005270232.tif 000012
【図１１】
2005270232.tif 000013
【図１２】
2005270232.tif 000014
【図１３】
2005270232.tif 000015
【図１４】
2005270232.tif 000016
【図１５】
2005270232.tif 000017
【図１６】
2005270232.tif 000018
【図１７】
2005270232.tif 000019